(57)【要約】【課題】  呼び線を引き出すときなどに、作業者らが収納する部材を回転させることなく、呼び線を連続的に引き出すことなどができ、呼び線をゆっくりはもちろん速く引き出しても呼び線が回転軸などに巻きつくことなく円滑に引き出すことができる呼び線収納保持具を提供することを目的とする。【解決手段】  載置台１と、載置台１から立設された支柱２と、支柱２に対して回動自在に設けられた回転軸３と、回転軸３の外側面から立設された支持部４と、回転軸３の遠心方向に配設され保持された呼び線を係止する内側係止部５と、内側係止部５から遠心方向に所定の間隔離れた外側係止部６と、内側係止部５と外側係止部６の間に位置する導通路Ｒと、導通路Ｒを回避して内側係止部５と外側係止部６を接続する保持部７を有し、支持部４が内側係止部５又は保持部７の少なくとも一方を支持している呼び線収納引出具により解決した。【選択図】図１
2018191409.tif 000002
【特許請求の範囲】
【請求項１】
載置台（１）と、
前記載置台から立設された支柱（２）と、
前記支柱に対して回動自在に設けられた回転軸（３）と、
前記回転軸の外側面から立設された支持部（４）と、
前記回転軸の遠心方向に配設され保持された呼び線を係止する内側係止部（５）と、
前記内側係止部から遠心方向に所定の間隔離れた外側係止部（６）と、
前記内側係止部と前記外側係止部の間に位置する導通路（Ｒ）と、
前記導通路を回避して前記内側係止部と前記外側係止部を接続する保持部（７）を有し、
前記支持部が前記内側係止部又は前記保持部の少なくとも一方を支持していることを特徴とする呼び線収納引出具。
【請求項２】
前記内側係止部及び前記外側係止部が遠心方向又は求心方向の少なくとも一方に窪んでいることを特徴とする請求項１に記載の呼び線収納引出具。
【請求項３】
前記内側係止部及び前記外側係止部が波型の環状であることを特徴とする請求項１又は請求項２に記載の呼び線収納引出具。
【請求項４】
前記外側係止部が前記内側係止部を遠心方向に所定の倍率拡大した形状を有することを特徴とする請求項１から請求項３のいずれかに記載の呼び線収納引出具。
【請求項５】
前記導通路が略一定の幅を有することを特徴とする請求項１から請求項４のいずれかに記載の呼び線収納引出具。
【請求項６】
前記導通路の近傍に配設された取出部（８）を備えることを特徴とする請求項１から請求項５のいずれかに記載の呼び線収納引出具。
【請求項７】
前記保持部に呼び線の基端部を固定する固定部（９）を備えることを特徴とする請求項１から請求項６のいずれかに記載呼び線収納引出具。
【発明の詳細な説明】
【技術分野】
【０００１】
本発明は、電線や各種ケーブルなどの線材に取り付けられ、それら線材を誘導案内する呼び線を収納するとともに使用時にはそのまま引き出すことができる器具に関する。
【背景技術】
【０００２】
従来、呼び線を未使用時にリール状にして切り欠けを有する略円環状の容器に収納し、必要時に取り出せるようにする収納具が種々知られている。
【０００３】
例えば、特許文献１には、略Ｃ字状の容器の内部に呼び線をリール状に幾重にも重ねて収納する呼び線収納引出器が開示されている。
【０００４】
また、図６及び図７には、上記のような呼び線収納引出器では呼び線を収納するとき又は引き出すときに容器自体を回転させないと呼び線を連続的に収納することができない又は引き出せないという問題点を改良した出願人の商品が開示されている。すなわち、呼び線を保持部１０１にリール状に保持して、使用するとき又は収納するときに回転軸１０２の遠心方向に設けられた保持部１０１を回転軸１０２中心に回転することにより、呼び線を収納する保持部１０１をいちいち回転させなくても保持部１０１が車輪の一部のように回転して保持部１０１の一部から呼び線を保持部１０１へ収納したり保持部１０１から引き出したりすることができる呼び線収納引出具が開示されている。
【先行技術文献】
【特許文献】
【０００５】
【特許文献１】実用新案登録第２５７４０１８号公報
【発明の概要】
【発明が解決しようとする課題】
【０００６】
しかしながら、先行特許文献１に記載の呼び線収納引出器では、上述したように、呼び線を収納するとき又は引き出すときに、作業者又はその補助者が容器自体を回転させないと呼び線を連続的に収納することができない又は引き出せないという課題があった。
【０００７】
また、図６及び図７に示した呼び線収納引出具では、呼び線を引き出すときに、図７に示すように、引き出す力により保持部１０１に収納されている呼び線が次第に回転軸１０２に向かって径が小さくなりながら引き出されるので、ついには保持部１０１に収納されている呼び線が回転軸１０２の外周に巻きつくようになり、呼び線をそれ以上引き出せなくなるので、巻きついた呼び線を緩めて引き出しなおすことが必要であり、作業における効率性が良くないという問題点があった。
【０００８】
そして、図６及び図７に記載の呼び線収納引出具では、呼び線をゆっくりと引き出そうすれば回転軸１０２の外周に巻きつきにくいが、速く引き出そうとすればするほど、呼び線が回転軸１０２の外周に巻きつき易くなるので、やはり作業における効率性が良くないという問題点があった。
【０００９】
そのため、本発明において、呼び線を収納するとき又は引き出すときに、作業者又はその補助者が収納する部材を回転させることなく、呼び線を連続的に収納することができ又は引き出すことができ、呼び線をゆっくりはもちろん速く引き出しても呼び線が回転軸などに巻きつくことなく円滑に引き出すことができる呼び線収納保持具を提供することを目的とする。
【課題を解決するための手段】
【００１０】
〔１〕すなわち、本発明は、載置台（１）と、前記載置台から立設された支柱（２）と、前記支柱に対して回動自在に設けられた回転軸（３）と、前記回転軸の外側面から立設された支持部（４）と、前記回転軸の遠心方向に配設され保持された呼び線を係止する内側係止部（５）と、前記内側係止部から遠心方向に所定の間隔離れた外側係止部（６）と、前記内側係止部と前記外側係止部の間に位置する導通路（Ｒ）と、前記導通路を回避して前記内側係止部と前記外側係止部を接続する保持部（７）を有し、前記支持部が前記内側係止部又は前記保持部の少なくとも一方を支持していることを特徴とする呼び線収納引出具である。
【００１１】
〔２〕そして、前記内側係止部及び前記外側係止部が遠心方向又は求心方向の少なくとも一方に窪んでいることを特徴とする前記〔１〕に記載の呼び線収納引出具である。
【００１２】
〔３〕そして、前記内側係止部及び前記外側係止部が波型の環状であることを特徴とする前記〔１〕又前記〔２〕に記載の呼び線収納引出具である。
【００１３】
〔４〕そして、前記外側係止部が前記内側係止部を遠心方向に所定の倍率拡大した形状を有することを特徴とする前記〔１〕から前記〔３〕のいずれかに記載の呼び線収納引出具である。
【００１４】
〔５〕そして、前記導通路が略一定の幅を有することを特徴とする前記〔１〕から前記〔４〕のいずれかに記載の呼び線収納引出具である。
【００１５】
〔６〕そして、前記導通路の近傍に配設された取出部（８）を備えることを特徴とする前記〔１〕から前記〔５〕のいずれかに記載の呼び線収納引出具である。
【００１６】
〔７〕そして、前記保持部に呼び線の基端部を固定する固定部（９）を備えることを特徴とする前記〔１〕から前記〔６〕のいずれかに記載呼び線収納引出具である。
【発明の効果】
【００１７】
本発明の呼び線収納引出具によれば、呼び線を収納するとき又は引き出すときに、作業者又はその補助者が収納する部材を回転させることなく、呼び線を連続的に収納又は引き出すことができ、呼び線をゆっくりはもちろん速く引き出しても呼び線が回転軸などに巻きつくことなく円滑に引き出すことができるので、作業の効率性を向上することができる
【図面の簡単な説明】
【００１８】
【図１】本発明の一実施例における呼び線収納引出具の斜視図である。
【図２】本発明の一実施例における呼び線収納引出具の正面図である。
【図３】本発明の一実施例における呼び線収納引出具の右側面図である。
【図４】本発明の一実施例における呼び線収納引出具うち回転部を示す斜視図である。
【図５】本発明の一実施例における呼び線収納引出具の呼び線を取り出している状態を示す正面図である。
【図６】従来例における呼び線収納引出具の斜視図である。
【図７】従来例における呼び線収納引出具の呼び線を取り出している状態を示す正面図である。
【発明を実施するための形態】
【００１９】
以下、本発明に係る呼び線収納引出具に関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。また、数値範囲を示す表現については、上限と下限を含むものである。
【００２０】
本件出願において、上下方向は、図２及び図５における上下方向に対応し、前後方向は、図２及び図５における紙面手前方向を前方向、紙面奥方向を後ろ方向に対応している。
【００２１】
図１〜図５は、本発明の一実施例を示すものであり、斜視図、正面図、側面図、部品の斜視図、使用状態正面である。図１から図３に示されているものが、呼び線収納引出具の外観であり、図４に、呼び線収納引出具の一部である回転部を取り外した状態の斜視図を示し、図５に、呼び線収納引出具に呼び線を収納し、取り出している途中の正面図を示している。
【００２２】
呼び線収納引出具は、図１から図３に示すように、載置台１と、載置台１から立設した支柱２と、支柱２に回動自在に設けられた回転部Ｗを備えている。そして、回転部Ｗは、支柱２に対して回動自在に設けられた回転軸３と、回転軸３の外画面から立設された支持部４と、回転軸３の遠心方向に配設され保持された呼び線Ｌを係止する内側係止部５と、内側係止部５から遠心方向に所定の間隔離れた外側係止部６と、内側係止部５と外側係止部６の間に位置する導通路Ｒと、導通路Ｒを回避して内側係止部５と外側係止部６を接続する保持部７などから構成されている。そして、支持部４が保持部７を支持しているように設けられている。
【００２３】
載置部１は、地面、床や台などに載置するための部材であり、呼び線収納引出具の土台を構成する部材である。図１に示すように、載置部１は、回転部Ｗの直径よりも長い幅を有する矩形状態の角環である。本実施形態において、載置部１は、矩形状の角環で構成されているが、他の実施形態において、回転部Ｗが安定して回転することができる限りにおいて、特段に形状は特定されるものでなく、例えば、矩形状以外の角環状、円環状、多角形状の板状、円板状、角柱状、円柱状などの形状とすることもできる。
【００２４】
支柱２は、載置台１から立設され、回転部Ｗを支える部材である。支柱２は、回転部Ｗを前方向から支えるように載置台１から立設され板状の第一支柱２１と、回転部Ｗを後ろ方向から支えるように載置台１から立設され板状の第二支柱２２から構成されており、図示しない第一支柱２１及び第二支柱２２の上端側に設けられた貫通孔を介して回転軸３の一端と他端を挟むようにして回転軸３を回動自在に軸支している。本実施形態において、支柱２は、第一支柱２１及び第二支柱２２の二つの部材から構成されているが、他の実施形態において、回転部Ｗを回動自在に支えられる限りにおいて一つの部材から構成されていてもよい。
【００２５】
回転部Ｗは、上述のように、支柱２に対して回動自在に設けられた回転軸３と、回転軸３の外画面から立設された支持部４と、回転軸３の遠心方向に配設され保持された呼び線Ｌを係止する内側係止部５と、内側係止部５から遠心方向に所定の間隔離れた外側係止部６と、内側係止部５と外側係止部６の間に位置する導通路Ｒと、導通路Ｒを回避して内側係止部５と外側係止部６を接続する保持部７などから構成されており、回転軸３を中心にして車輪のように回動自在である。
【００２６】
回転軸３は、支柱２に対して回動自在に設けられた部材であり、第一支柱２１及び第二支柱２２の上端側に挟まれるように水平方向に沿って設けられている。回転軸３は、円筒形状を有し、その中を留具Ｓの一部である棒状部分が挿通されているので、その棒状部分に対して回動することができる。また、留具Ｓの一部である棒状部分が、第一支柱２１、第二支柱２２、回転軸３に対して挿通されているので、留具Ｓを回転軸３から抜くと回転軸３を第一支柱２１及び第二支柱２２から取り外すことができ、回転部Ｗを載置台１及び支持部２から取り外すことができる。また、回転部Ｗは、回転軸３においてのみ留具Ｓを介して支持部２によって支持されているので、回転軸３を中心に回動自在に構成されている。
【００２７】
支持部４は、回転軸３の外側面から立設された部材であり、遠心方向に配設された内側係止部５や保持部７を支持する部材である。支持部４は、車輪のスポークのように回転軸３から放射線状に略棒状体として複数立設している。本実施形態において、支持部４は、保持部７に当接して保持部７を直接的に支持しているが、他の実施形態において、内側係止部５に当接して内側係止部５を直接的に支持することができるし、内側係止部５及び保持部７に当接して内側係止部５及び保持部７を直接的に支持することができるし、内側係止部５や保持部７の間に他の部材を介在させて内側係止部５及び保持部７の少なくとも一方を間接的に支持することができる。また、本実施形態において、支持部４は、放射線に伸びた略棒状の部材であるが、他の実施形態において、略円板状、略多角形状の板状などの板状とすることもできる。
【００２８】
内側係止部５は、回転軸３の遠心方向に配設され保持された呼び線Ｌを係止する部材である。そして、内側係止部５は、略棒状部材が遠心方向及び求心方向に窪んで、回転軸３から最も離れた内側係止部最遠部５１と回転軸３から最も近い内側係止部最近部５２が周期性を持って配列された波型となり、全体として正面視において回転軸３を中心とする円環状を形成している。内側係止部５により、呼び線Ｌを収納するとき及び引き出すときに、呼び線Ｌが前後方向、とりわけ後述する導通路Ｒから前方向へ飛び出すことを防止している。このため、呼び線Ｌをゆっくり又は速く引き出すときに、呼び線Ｌが導通路Ｒから前方向へ飛び出すことなく、円滑に収納又は引き出すことができる。
【００２９】
本実施形態において、内側係止部５は、正面視において回転軸３を中心とする波型の円環状であるが、呼び線Ｌが前後方向から飛び出すことを防止することができる限りにおいて、正面視において直線から構成される多角形状や直線と曲線を組み合わせた形状による環状とすることができ、さらには呼び線Ｌの太さよりも短く一部が切りかかれた不連続である略環状とすることができる。また、本実施形態において、内側係止部５は、環状の略棒状の部材により構成されているが、他の実施形態において、支持部４を略円板状、略多角形状の板状などの板状としたときには、それらの外縁部に該当する。
【００３０】
外側係止部６は、内側係止部５から回転軸３を中心とする遠心方向に所定の間隔離れた部材であり、回転軸３の遠心方向に配設され保持された呼び線Ｌを係止する部材である。そして、外側係止部６も、内側係止部５と同様に、略棒状部材が遠心方向及び求心方向に窪んで、回転軸３から最も離れた外側係止部最遠部６１と回転軸３から最も近い外側係止部最近部６２が周期性を持って配列された波型となり、全体として正面視において回転軸３を中心とし、内側係止部５を遠心方向に１．１〜１．５の倍率拡大した円環状を形成している。外側係止部６により、呼び線Ｌを収納するとき及び引き出すときに、呼び線Ｌが前後方向、とりわけ後述する導通路Ｒから前方向へ飛び出すことを防止しており、内側係止部５と協力して呼び線Ｌが導通路Ｒから前方向へ飛び出すことをより防止している。このため、呼び線Ｌをゆっくり又は速く引き出すときに、呼び線Ｌが導通路Ｒから前方向へ飛び出すことなく、円滑に収納又は引き出すことができる。さらに、正面視において、回転軸３と外側係止部最近部６２の距離が、回転軸３と内側係止部最遠部５１の距離よりも短いために、図５に示すように、保持部７に収納された呼び線Ｌが導通路Ｒから前方に飛び出そうとすると内側係止部５及び外側係止部６に係止されるため、呼び線Ｌが導通路Ｒから前方向へ飛び出すことなく、円滑に収納又は引き出すことができる。
【００３１】
本実施形態において、外側係止部６は、正面視において回転軸３を中心とする波型の円環状であるが、呼び線Ｌが前後方向から飛び出すことを防止することができる限りにおいて、正面視において直線から構成される多角形状や直線と曲線を組み合わせた形状による環状とすることができ、さらには呼び線Ｌの太さよりも短く一部が切りかかれた不連続である略環状とすることができる。
【００３２】
導通路Ｒは、内側係止部５と外側係止部６の間に位置し、呼び線Ｌを収納したり取り出したりするときに呼び線Ｌが通る通路である。導通路Ｒは、内側係止部５と外側係止部６が拡大縮小の関係にあり、内側係止部最遠部５１と外側係止部最遠部６１、内側係止部最近部５２と外側係止部最近部６２がそれぞれ正面視において回転軸３から同一線上に並んでいるため、略一定の幅を有し、横切る部材が存在しない帯状を呈している。本実施形態において、導通路Ｒが略一定の幅を有しているが、他の実施形態において、呼び線Ｌを円滑に収納したり引き出したりすることができる限りにおいて、内側係止部５と外側係止部６を回転軸３に対して所定の角度位相をずらすなどして、規則的に幅が変わるようにするなど略一定の幅とならないようにすることもできる。
【００３３】
保持部７は、導通路Ｒを回避して内側係止部５と外側係止部６を接続し、収納されている呼び線Ｌを保持する部材である。保持部７は、略棒状部材が導通路Ｒから後ろ方向へ延びて内側係止部５と外側係止部６に繋がっており、導通路Ｒの箇所だけ切り欠いた略環状を形成している。保持部７が内側係止部５と外側係止部６に接続されていることにより、呼び線Ｌを保持部７の内側だけで保持することができるので、呼び線Ｌをゆっくりはもちろん速く引き出しても呼び線Ｌが回転軸３や支持部４などに巻きつくことなく円滑に引き出すことができる。また、保持部７が導通路Ｒを塞いでいないために、呼び線Ｌを円滑に収納したり引き出したりすることできる。
【００３４】
本実施形態において、保持部７は、内側係止部５と外側係止部６に直接的に接続されているが、他の実施形態において、内側係止部５又は外側係止部６の少なくとも一方に他の部材を介在させて間接的に接続することができるし、さらに、内側係止部５と外側係止部６に着脱自在に接続することもできる。
【００３５】
取出部８は、導通路Ｒの近傍に配設され、呼び線Ｌを取り出す部材である。取出部８は、基端側において、留具Ｓの一部である棒状部分を挿通する円筒状の部材が設けられており、その外側面から立設され、先端側が導通路Ｒの前方に内側係止部５及び外側係止部６を含む面に対して所定の角度だけ上方に向かった傾斜し、先端に向かって径が小さくなる螺旋状に設けられている。取出部８が、このような形状に設けられていることにより、呼び線Ｌを引き出すときには、螺旋状の部分の内側から引き出し、収納するときには、螺旋状の部分に呼び線Ｌの一部を引っ掛けて呼び線Ｌがアクシデントにより飛び出さないようにすることできる。
【００３６】
本実施形態において、取出部８は、基端側の円筒状の部材の外側面から立設され、先端側において、螺旋状の形状を有しているが、他の実施形態において、基端側において、回転軸３ではなく、支持部４、内側係止部５、外側係止部６などから立設することができるし、先端側において、Ｏ字状、Ｕ字状、Ｊ字状などの形状とすることもできる。
【００３７】
固定部９は、保持部７に設けられる呼び線Ｌの基端部を固定する部材である。固定部９は、保持部７から立設し、呼び線Ｌの基端部を嵌入する有底筒状の形状を有している。呼び線Ｌの先端部は、取出部８の一部に係止したり取出部８から引き出されたりするが、呼び線Ｌの基端部が固定されていないと、収納するときに巻き取りにくく、引き出すときに基端部近くになると回転部Ｗが空回りして呼び線Ｌが回転軸３、内側係止部５、外側係止６、保持部７などに巻き付いたりするために円滑に引き出すことができないので、固定部９により、呼び線Ｌを円滑に収納したり引き出したりすることができる。
【符号の説明】
【００３８】
１・・・載置台
２・・・支柱
２１・・・第一支柱
２２・・・第二支柱
３・・・回転軸
４・・・支持部
５・・・内側係止部
５１・・・内側係止部最遠部
５２・・・内側係止部最近部
６・・・外側係止部
６１・・・外側係止部最遠部
６２・・・外側係止部最近部
７・・・保持部
８・・・取出部
９・・・固定部
Ｒ・・・導通路
Ｗ・・・回転部
Ｌ・・・呼び線
Ｓ・・・留具
【図１】
2018191409.tif 000003
【図２】
2018191409.tif 000004
【図３】
2018191409.tif 000005
【図４】
2018191409.tif 000006
【図５】
2018191409.tif 000007
【図６】
2018191409.tif 000008
【図７】
2018191409.tif 000009